(57)【要約】【課題】印刷装置や当該装置の操作知識を持たない者でも、電子メッセージ利用可能な贈答品等を取扱うことができるシステム等を提供する。【解決手段】  サーバ装置4の被伝達データ入力促進制御部16は、送り主側の端末装置6からアクセス情報付きの物品に付された書込み用アクセス情報にしたがってアクセスがあると、被伝達データの入力を促すよう送り主側の端末装置6に表示させる。被伝達データ書込み制御部22は、被伝達データの入力を促す表示にしたがって送り主側の端末装置6から被伝達データが入力されると、入力された被伝達データを書込み用アクセス情報と対応付けられた被伝達データ用記憶領域30に書込む。被伝達データ読出し制御部28は、受取人側の端末装置８からアクセス情報付きの物品に付された読出し用アクセス情報にしたがってアクセスがあると、被伝達データ用記憶領域30に書込まれている被伝達データを読出して受取人側の端末装置8に表示させる。【選択図】図１
2010165277.tif 000002
【特許請求の範囲】
【請求項１】
物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品、を用いて被伝達データを送り主側の端末装置から受取人側の端末装置に伝達するためのシステムであって、
送り主側の端末装置と、受取人側の端末装置と、インターネットを介してこれらの端末装置と通信可能であって物品ごとに予め定められた書込み用アクセス情報及び読出し用アクセス情報と対応付けて割りあてられた被伝達データ用記憶領域を有するサーバ装置と、を備え、
サーバ装置は、
送り主側の端末装置から、アクセス情報付きの物品に付された書込み用アクセス情報にしたがってアクセスがあると、被伝達データの入力を促すよう送り主側の端末装置に表示させるよう制御する被伝達データ入力促進制御部と、
被伝達データの入力を促す表示にしたがって送り主側の端末装置から被伝達データが入力されると、入力された被伝達データを、書込み用アクセス情報と対応付けられた被伝達データ用記憶領域に書込むよう制御する被伝達データ書込み制御部と、
受取人側の端末装置から、アクセス情報付きの物品に付された読出し用アクセス情報にしたがってアクセスがあると、当該被伝達データ用記憶領域に書込まれている被伝達データを読出して受取人側の端末装置に表示させるよう制御する被伝達データ読出し制御部と、
して機能する、被伝達データ管理システム。
【請求項２】
物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品、を用いて被伝達データを送り主側の端末装置から受取人側の端末装置に伝達するためのシステムであって、送り主側の端末装置と、受取人側の端末装置と、インターネットを介してこれらの端末装置と通信可能であって物品ごとに予め定められた書込み用アクセス情報及び読出し用アクセス情報と対応付けて割りあてられた被伝達データ用記憶領域を有するサーバ装置と、を備えたシステム、に用いられるサーバ装置であって、
送り主側の端末装置から、アクセス情報付きの物品に付された書込み用アクセス情報にしたがってアクセスがあると、被伝達データの入力を促すよう送り主側の端末装置に表示させるよう制御する被伝達データ入力促進制御部と、
被伝達データの入力を促す表示にしたがって送り主側の端末装置から被伝達データが入力されると、入力された被伝達データを、書込み用アクセス情報と対応付けられた被伝達データ用記憶領域に書込むよう制御する被伝達データ書込み制御部と、
受取人側の端末装置から、アクセス情報付きの物品に付された読出し用アクセス情報にしたがってアクセスがあると、当該被伝達データ用記憶領域に書込まれている被伝達データを読出して受取人側の端末装置に表示させるよう制御する被伝達データ読出し制御部と、
して機能する、サーバ装置。
【請求項３】
物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品、を用いて被伝達データを送り主側の端末装置から受取人側の端末装置に伝達するためのシステムであって、送り主側の端末装置と、受取人側の端末装置と、インターネットを介してこれらの端末装置と通信可能であって物品ごとに予め定められた書込み用アクセス情報及び読出し用アクセス情報と対応付けて割りあてられた被伝達データ用記憶領域を有するサーバ装置と、を備えたシステム、に用いられるプログラムであって、
サーバ装置を、
送り主側の端末装置から、アクセス情報付きの物品に付された書込み用アクセス情報にしたがってアクセスがあると、被伝達データの入力を促すよう送り主側の端末装置に表示させるよう制御する被伝達データ入力促進制御部と、
被伝達データの入力を促す表示にしたがって送り主側の端末装置から被伝達データが入力されると、入力された被伝達データを、書込み用アクセス情報と対応付けられた被伝達データ用記憶領域に書込むよう制御する被伝達データ書込み制御部と、
受取人側の端末装置から、アクセス情報付きの物品に付された読出し用アクセス情報にしたがってアクセスがあると、当該被伝達データ用記憶領域に書込まれている被伝達データを読出して受取人側の端末装置に表示させるよう制御する被伝達データ読出し制御部と、
して機能させる、プログラム。
【請求項４】
請求項３のプログラムを記憶した記録媒体。
【請求項５】
物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品。
【請求項６】
物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの、物品添付用タグ。
【請求項７】
物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品、を用いて被伝達データを送り主側の端末装置から受取人側の端末装置に伝達するための方法であって、
送り主側の端末装置と、受取人側の端末装置と、インターネットを介してこれらの端末装置と通信可能であって物品ごとに予め定められた書込み用アクセス情報及び読出し用アクセス情報と対応付けて割りあてられた被伝達データ用記憶領域を有するサーバ装置と、を用い、
サーバ装置は、
送り主側の端末装置から、アクセス情報付きの物品に付された書込み用アクセス情報にしたがってアクセスがあると、被伝達データの入力を促すよう送り主側の端末装置に表示させるよう制御する被伝達データ入力促進制御処理と、
被伝達データの入力を促す表示にしたがって送り主側の端末装置から被伝達データが入力されると、入力された被伝達データを、書込み用アクセス情報と対応付けられた被伝達データ用記憶領域に書込むよう制御する被伝達データ書込み制御処理と、
受取人側の端末装置から、アクセス情報付きの物品に付された読出し用アクセス情報にしたがってアクセスがあると、当該被伝達データ用記憶領域に書込まれている被伝達データを読出して受取人側の端末装置に表示させるよう制御する被伝達データ読出し制御処理と、
を行う、被伝達データ管理方法。
【発明の詳細な説明】
【技術分野】
【０００１】
この発明は、インターネット上のウェブページを介して贈答品等の送り主から受取人へメッセージ等を伝達するための技術に関する。
【背景技術】
【０００２】
たとえば贈答品の送り主から受取人へのメッセージを伝達する方法として、贈答品の送り主からのメッセージが書き込まれたインターネット上のウェブページを用意しておき、当該ウェブページのＵＲＬ情報やＩＤ情報等を記載した電子メールを受取人に送信する方法が知られている（特許文献１の第３９段落参照）。以下、インターネット上のウェブページに書き込まれたメッセージや画像等の被伝達データを「電子メッセージ」と呼ぶことがある。
【０００３】
この方法を用いることにより、電子メッセージを手軽に伝達することができる。しかし、この方法は、受取人の電子メールアドレスを送り主が知らない場合には利用することができない。
【０００４】
そこで、受取人の電子メールアドレスを送り主が知らなくても、当該ウェブページのＵＲＬ情報やＩＤ情報等を受取人に知らせる方法として、当該ウェブページのＵＲＬ情報やＩＤ情報等を記録したＩＣチップや印刷物が添付（同梱）された贈答品を受取人に送る方法が、種々提案されている（特許文献２ないし４参照）。
【０００５】
しかし、いずれの方法においても、当該ウェブページのＵＲＬ等は、贈答品の購入後（または購入時）に特定されるため、贈答品に添付されるＵＲＬ情報の印刷等は、贈答品の取扱い業者（配送業者、ショップ等）が行わなければならず、取扱い業者は、印刷等のための装置および当該装置の操作知識を有していることが必要となる。
【０００６】
このため、印刷等のための装置や当該装置の操作知識を持たない者（露店販売業者やアルバイト店員等）は、このような電子メッセージ利用可能な贈答品を取扱うことができないという問題があった。
【先行技術文献】
【特許文献】
【０００７】
【特許文献１】特開２００１−３５０９６２号公報
【特許文献２】特開２００３−２２３５６７号公報
【特許文献３】特開２００５−０７１０６５号公報
【特許文献４】特開２００５−１７８９３８号公報
【発明の概要】
【発明が解決しようとする課題】
【０００８】
この発明は、従来のこのような方法の問題点を解決し、印刷等のための装置や当該装置の操作知識を持たない者でも、電子メッセージ利用可能な贈答品等を取扱うことができ、しかも、贈答品等の送り主が受取人の電子メールアドレスを知らなくても電子メッセージが利用できるシステム等を提供することを目的とする。
【課題を解決するための手段】
【０００９】
この発明による被伝達データ管理システムは、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品、を用いて被伝達データを送り主側の端末装置から受取人側の端末装置に伝達するためのシステムであって、送り主側の端末装置と、受取人側の端末装置と、インターネットを介してこれらの端末装置と通信可能であって物品ごとに予め定められた書込み用アクセス情報及び読出し用アクセス情報と対応付けて割りあてられた被伝達データ用記憶領域を有するサーバ装置と、を備え、サーバ装置は、送り主側の端末装置から、アクセス情報付きの物品に付された書込み用アクセス情報にしたがってアクセスがあると、被伝達データの入力を促すよう送り主側の端末装置に表示させるよう制御する被伝達データ入力促進制御部と、被伝達データの入力を促す表示にしたがって送り主側の端末装置から被伝達データが入力されると、入力された被伝達データを、書込み用アクセス情報と対応付けられた被伝達データ用記憶領域に書込むよう制御する被伝達データ書込み制御部と、受取人側の端末装置から、アクセス情報付きの物品に付された読出し用アクセス情報にしたがってアクセスがあると、当該被伝達データ用記憶領域に書込まれている被伝達データを読出して受取人側の端末装置に表示させるよう制御する被伝達データ読出し制御部と、して機能する。
【００１０】
この発明によるサーバ装置は、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品、を用いて被伝達データを送り主側の端末装置から受取人側の端末装置に伝達するためのシステムであって、送り主側の端末装置と、受取人側の端末装置と、インターネットを介してこれらの端末装置と通信可能であって物品ごとに予め定められた書込み用アクセス情報及び読出し用アクセス情報と対応付けて割りあてられた被伝達データ用記憶領域を有するサーバ装置と、を備えたシステム、に用いられるサーバ装置であって、送り主側の端末装置から、アクセス情報付きの物品に付された書込み用アクセス情報にしたがってアクセスがあると、被伝達データの入力を促すよう送り主側の端末装置に表示させるよう制御する被伝達データ入力促進制御部と、被伝達データの入力を促す表示にしたがって送り主側の端末装置から被伝達データが入力されると、入力された被伝達データを、書込み用アクセス情報と対応付けられた被伝達データ用記憶領域に書込むよう制御する被伝達データ書込み制御部と、受取人側の端末装置から、アクセス情報付きの物品に付された読出し用アクセス情報にしたがってアクセスがあると、当該被伝達データ用記憶領域に書込まれている被伝達データを読出して受取人側の端末装置に表示させるよう制御する被伝達データ読出し制御部と、して機能する。
【００１１】
この発明によるプログラムは、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品、を用いて被伝達データを送り主側の端末装置から受取人側の端末装置に伝達するためのシステムであって、送り主側の端末装置と、受取人側の端末装置と、インターネットを介してこれらの端末装置と通信可能であって物品ごとに予め定められた書込み用アクセス情報及び読出し用アクセス情報と対応付けて割りあてられた被伝達データ用記憶領域を有するサーバ装置と、を備えたシステム、に用いられるプログラムであって、サーバ装置を、送り主側の端末装置から、アクセス情報付きの物品に付された書込み用アクセス情報にしたがってアクセスがあると、被伝達データの入力を促すよう送り主側の端末装置に表示させるよう制御する被伝達データ入力促進制御部と、被伝達データの入力を促す表示にしたがって送り主側の端末装置から被伝達データが入力されると、入力された被伝達データを、書込み用アクセス情報と対応付けられた被伝達データ用記憶領域に書込むよう制御する被伝達データ書込み制御部と、受取人側の端末装置から、アクセス情報付きの物品に付された読出し用アクセス情報にしたがってアクセスがあると、当該被伝達データ用記憶領域に書込まれている被伝達データを読出して受取人側の端末装置に表示させるよう制御する被伝達データ読出し制御部と、して機能させる。
【００１２】
この発明によるアクセス情報付きの物品は、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されている。
【００１３】
この発明によるアクセス情報付きの、物品添付用タグは、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されている。
【００１４】
この発明による被伝達データ管理方法は、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品、を用いて被伝達データを送り主側の端末装置から受取人側の端末装置に伝達するための方法であって、送り主側の端末装置と、受取人側の端末装置と、インターネットを介してこれらの端末装置と通信可能であって物品ごとに予め定められた書込み用アクセス情報及び読出し用アクセス情報と対応付けて割りあてられた被伝達データ用記憶領域を有するサーバ装置と、を用い、サーバ装置は、送り主側の端末装置から、アクセス情報付きの物品に付された書込み用アクセス情報にしたがってアクセスがあると、被伝達データの入力を促すよう送り主側の端末装置に表示させるよう制御する被伝達データ入力促進制御処理と、被伝達データの入力を促す表示にしたがって送り主側の端末装置から被伝達データが入力されると、入力された被伝達データを、書込み用アクセス情報と対応付けられた被伝達データ用記憶領域に書込むよう制御する被伝達データ書込み制御処理と、受取人側の端末装置から、アクセス情報付きの物品に付された読出し用アクセス情報にしたがってアクセスがあると、当該被伝達データ用記憶領域に書込まれている被伝達データを読出して受取人側の端末装置に表示させるよう制御する被伝達データ読出し制御処理と、を行う。
【００１５】
本発明の特徴は、上記のように広く示すことができるが、その構成や内容は、目的および特徴とともに、図面を考慮に入れた上で、以下の開示によりさらに明らかになるであろう。
【発明の効果】
【００１６】
本願の第１発明による被伝達データ管理システム、第２発明によるサーバ装置、第３発明によるプログラム、第４発明によるプログラムを記憶した記録媒体においては、被伝達データ管理システムは、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品、を用いて被伝達データを送り主側の端末装置から受取人側の端末装置に伝達するためのシステムであって、送り主側の端末装置と、受取人側の端末装置と、インターネットを介してこれらの端末装置と通信可能であって物品ごとに予め定められた書込み用アクセス情報及び読出し用アクセス情報と対応付けて割りあてられた被伝達データ用記憶領域を有するサーバ装置と、を備えている。
【００１７】
サーバ装置は、被伝達データ入力促進制御部と、被伝達データ書込み制御部と、被伝達データ読出し制御部と、して機能する。
【００１８】
被伝達データ入力促進制御部は、送り主側の端末装置から、アクセス情報付きの物品に付された書込み用アクセス情報にしたがってアクセスがあると、被伝達データの入力を促すよう送り主側の端末装置に表示させるよう制御する。
【００１９】
被伝達データ書込み制御部は、被伝達データの入力を促す表示にしたがって送り主側の端末装置から被伝達データが入力されると、入力された被伝達データを、書込み用アクセス情報と対応付けられた被伝達データ用記憶領域に書込むよう制御する。
【００２０】
被伝達データ読出し制御部は、受取人側の端末装置から、アクセス情報付きの物品に付された読出し用アクセス情報にしたがってアクセスがあると、当該被伝達データ用記憶領域に書込まれている被伝達データを読出して受取人側の端末装置に表示させるよう制御する。
【００２１】
本願の第５発明によるアクセス情報付きの物品は、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されている。
【００２２】
本願の第６発明によるアクセス情報付きの物品添付用タグは、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されている。
【００２３】
本願の第７発明による被伝達データ管理方法は、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されたアクセス情報付きの物品、を用いて被伝達データを送り主側の端末装置から受取人側の端末装置に伝達するための方法であって、送り主側の端末装置と、受取人側の端末装置と、インターネットを介してこれらの端末装置と通信可能であって物品ごとに予め定められた書込み用アクセス情報及び読出し用アクセス情報と対応付けて割りあてられた被伝達データ用記憶領域を有するサーバ装置と、を用いて行われる。
【００２４】
サーバ装置は、被伝達データ入力促進制御処理と、被伝達データ書込み制御処理と、被伝達データ読出し制御処理と、を行う。
【００２５】
被伝達データ入力促進制御処理は、送り主側の端末装置から、アクセス情報付きの物品に付された書込み用アクセス情報にしたがってアクセスがあると、被伝達データの入力を促すよう送り主側の端末装置に表示させるよう制御する処理である。
【００２６】
被伝達データ書込み制御処理は、被伝達データの入力を促す表示にしたがって送り主側の端末装置から被伝達データが入力されると、入力された被伝達データを、書込み用アクセス情報と対応付けられた被伝達データ用記憶領域に書込むよう制御する処理である。
【００２７】
被伝達データ読出し制御処理は、受取人側の端末装置から、アクセス情報付きの物品に付された読出し用アクセス情報にしたがってアクセスがあると、当該被伝達データ用記憶領域に書込まれている被伝達データを読出して受取人側の端末装置に表示させるよう制御する処理である。
【００２８】
つまり、本願の第１発明による被伝達データ管理システム、第２発明によるサーバ装置、第３発明によるプログラム、第４発明によるプログラムを記憶した記録媒体、第５発明によるアクセス情報付きの物品、第６発明によるアクセス情報付きの物品添付用タグが付された物品、第７発明による被伝達データ管理方法においては、贈り物など、被伝達データを伝達する対象となる各物品には、物品の送り主側の端末装置からインターネット上のサーバ装置に被伝達データを書込む際にサーバ装置にアクセスするための書込み用アクセス情報と、サーバ装置に書込まれた当該被伝達データを物品の受取人側の端末装置に読み出す際にサーバ装置にアクセスするための読出し用アクセス情報と、がともに予め付されている。
【００２９】
このため、当該物品の販売店や運送業者等の取扱い業者においてＵＲＬ情報等書込み用アクセス情報及び読出し用アクセス情報の印刷等を行う必要がない。このため、印刷等のための装置や当該装置の操作知識を持たない者（露店販売業者やアルバイト店員等）であっても、電子メッセージ（被伝達データ）利用可能な物品を取扱うことができる。
【００３０】
また、書込み用アクセス情報及び読出し用アクセス情報と物品の種類との関連付けは必ずしも必要でないため、いかなる種類の物品についても、予め用意された一対の書込み用アクセス情報及び読取り用アクセス情報を記載したタグ等を用意しておき、これを物品に添付するだけで、即座に電子メッセージ利用可能な物品になる。
【００３１】
一方、当該物品の送り主は、購入等した物品に付されている書込み用アクセス情報にしたがってサーバ装置にアクセスすることにより電子メッセージを書込むことができ、当該物品の受取人は、受取った物品に付されている読出し用アクセス情報にしたがってサーバ装置にアクセスすることにより当該電子メッセージを閲覧することができる。このため、贈答品等の送り主が受取人の電子メールアドレスを知らなくても電子メッセージが利用できる
【図面の簡単な説明】
【００３２】
【図１】図１は、この発明の一実施形態による被伝達データ管理システム２の構成を示すブロック図である。
【図２】図２は、図１に示す被伝達データ管理システム２を構成するサーバ装置であるサーバ４、並びに、送り主側の端末装置である送り主側端末６及び受取人側の端末装置である受取人側端末８のハードウェア構成の一例を示すブロック図である。
【図３】図３は、被伝達データ管理システム２の処理の流れの一例を示すフローチャートであって、サーバ４に被伝達データを書込む際の動作を示すものである。
【図４】図４は、被伝達データ管理システム２の処理の流れの一例を示すフローチャートであって、サーバ４に被伝達データを書込む際の動作を示すものである。
【図５】図５は、被伝達データ管理システム２の処理の流れの一例を示すフローチャートであって、サーバ４から被伝達データを読み出す際の動作を示すものである。
【図６】図６Ａ、図６Ｂ、図６Ｃ、図６Ｄは、送り主側端末６のＬＣＤ６４に表示される表示内容の推移の一例を示す図面である。
【図７】図７Ａ、図７Ｂ、図７Ｃは、送り主側端末６のＬＣＤ６４に表示される表示内容の推移の一例を示す図面である。図７Ｄは、受取人側端末８のＬＣＤ８４に表示される表示内容の一例を示す図面である。
【図８】図８Ａは、アイテムテーブル３６のデータ構造の一例を示す図面である。図８Ｂは、メッセージテーブル３２のデータ構造の一例を示す図面である。
【図９】図９は、アクセス情報付きの物品１００の外観の一例を示す図面である。
【図１０】図１０Ａは、この物品添付用タグ１０２の表面の一例を示す図面であり、図１０Ｂは、物品添付用タグ１０２の裏面の一例を示す図面である。
【発明を実施するための形態】
【００３３】
図１は、この発明の一実施形態による被伝達データ管理システム２の構成を示すブロック図である。被伝達データ管理システム２は、サーバ装置４と、送り主側の端末装置６と、受取人側の端末装置８とを備えており、これらは、インターネット１０を介して通信可能となっている。
【００３４】
図９は、アクセス情報付きの物品１００の外観の一例を示す図面である。この物品１００には、アクセス情報付きの物品添付用タグ１０２が紐などにより添付されている。
【００３５】
図１０Ａは、この物品添付用タグ１０２の表面の一例を示す図面であり、図１０Ｂは、物品添付用タグ１０２の裏面の一例を示す図面である。
【００３６】
物品添付用タグ１０２は、物品１００の送り主側の端末装置６からインターネット１０上のサーバ装置４にメッセージデータ（テキストデータ）や画像データ（写真データを含む）等の被伝達データを書込む際にサーバ装置４にアクセスするための書込み用アクセス情報１０３ｃが印刷された書込み用アクセス情報印刷部１０３と、サーバ装置４に書込まれた当該被伝達データを物品１００の受取人側の端末装置８に読み出す際にサーバ装置４にアクセスするための読出し用アクセス情報１０４ｃが印刷された読出し用アクセス情報印刷部１０４とを備えている。
【００３７】
この例では、書込み用アクセス情報印刷部１０３と読出し用アクセス情報印刷部１０４とが、キリトリ線１０５にて切り離し可能となっている。物品１００の送り主は、書込み用アクセス情報１０３ｃにしたがって、送り主側の端末装置６からインターネット１０上のサーバ装置４に被伝達データを書込んだあと、書込み用アクセス情報印刷部１０３と読出し用アクセス情報印刷部１０４とを切り離し、読出し用アクセス情報印刷部１０４のみを物品１００に付した状態で、受取人に、当該物品１００を郵送または手渡しする。
【００３８】
そして、物品１００の受取人は、物品１００に付された読出し用アクセス情報１０４ｃにしたがって、サーバ装置４に書込まれた当該被伝達データを受取人側の端末装置８に読み出す。
【００３９】
この例では、書込み用アクセス情報１０３ｃは、サーバ装置４の被伝達データ書込み用ウェブページにアクセスするためのＵＲＬ（ユニフォームリソースロケータ）１０３ｂと、当該ＵＲＬ１０３ｂを２次元コード化したＱＲコード１０３ａとにより構成されている。
【００４０】
同様に、読出し用アクセス情報１０４ｃは、サーバ装置４の被伝達データ読出し用ウェブページにアクセスするためのＵＲＬ１０４ｂと、当該ＵＲＬ１０４ｂを２次元コード化したＱＲコード１０４ａとにより構成されている。
【００４１】
ＵＲＬ１０３ｂ及びＵＲＬ１０４ｂの構成は、例えば次のようになっている。
【００４２】
プロトコル＋ドメイン＋読み書きモード＋アイテムコード＋メッセージコード。
【００４３】
プロトコルは、通信プロトコルを示す情報で、例えば「ｈｔｔｐ://」のように表される。ドメインは、インターネット１０上のサーバ４を特定する情報で、例えば「msag.jp」のように表される。読み書きモードは、書込みモード又は読出しモードの別を示す情報で、例えば「w」（書込みモード）、「r」（読出しモード）のように表される。アイテムコードは、商品の種類を示す情報で、例えば「hapy」のように表される。メッセージコードは、個々のメッセージデータを特定するための情報で、例えば「ug7hj2am6」のように表される。メッセージコードの桁数を増やすことにより、多数のメッセージを個別に認識・管理することが可能となる。なお、メッセージコードの末尾１桁はチェックサムである。
【００４４】
ＵＲＬ１０３ｂ及びＵＲＬ１０４ｂの具体例は、例えば、それぞれ次のように表すことができる。
【００４５】
http://msag.jp/w/hapy/ug7hj2am6  
【００４６】
http://msag.jp/r/hapy/ug7hj2am6  
【００４７】
これらの書込み用アクセス情報１０３ｃ及び読出し用アクセス情報１０４ｃは、剥離可能なシールや塗膜（図示せず）で覆っておいたり、タグ１０２自体を外袋（図示せず）に入れておく等して、物品１００の購入前に読取りできないようにしておくのが好ましい。
【００４８】
なお、書込み用アクセス情報１０３ｃとしては、ＵＲＬ１０３ｂ又はＱＲコード１０３ａのいずれか一方であってもよいし、これらと同等の機能を有する情報であってもよい。読出し用アクセス情報１０４ｃについても、これと同様である。
【００４９】
また、この例においては、読出し用アクセス情報印刷部１０４の適部に、物品１００の送り主から受取人に対する手書きのメッセージを書くための手書きメッセージ用領域１０４ｄが、さらに設けられている。
【００５０】
図１に戻って、サーバ装置４は、制御部１２、記憶手段１４を備えている。制御部１２は、被伝達データ入力促進制御部１６、被伝達データ書込み制御部２２、被伝達データ読出し制御部２８を備えている。
【００５１】
記憶手段１４は、被伝達データ用記憶領域３０、アイテムテーブル３６、背景ファイル３８を備えている。被伝達データ用記憶領域３０は、被伝達データのうちメッセージデータを記憶するメッセージテーブル３２と、画像データを記憶する画像ファイル３４とを備えている。
【００５２】
アイテムテーブル３６は、送り主側の端末装置６のＬＣＤ６４に表示される表示画面のデザインであって商品の種類ごとに予め定められたデザイン等を記憶している。背景ファイル３８は、送り主側の端末装置６のＬＣＤ６４及び受取人側の端末装置８のＬＣＤ８４に表示される表示画面の背景であって送り主側の端末装置６から選択可能な複数の背景を記憶している。この例では、背景ごとに当該背景の名称を含むディレクトリを設け、各ディレクトリ下に背景として配置される画像（例えばイラスト等）や背景色などのデータ、サンプル画像等が記憶されている。
【００５３】
制御部１２の被伝達データ入力促進制御部１６は、送り主側の端末装置６から、アクセス情報付きの物品１００に付された書込み用アクセス情報１０３ｃにしたがってアクセスがあると、被伝達データの入力を促すよう送り主側の端末装置６に表示させるよう制御する。
【００５４】
被伝達データ入力促進制御部１６は、メッセージデータ入力促進制御部１８と、画像データ入力促進制御部２０とを備えている。
【００５５】
被伝達データ入力促進制御部１６は、書込み用アクセス情報１０３ｃにしたがってアクセスがあると、被伝達データのうちメッセージデータの入力を促すよう送り主側の端末装置６に表示させるよう制御する。
【００５６】
画像データ入力促進制御部２０は、書込み用アクセス情報１０３ｃにしたがってアクセスがあると、被伝達データのうち画像データの入力を促すよう送り主側の端末装置６に表示させるよう制御する。
【００５７】
被伝達データ書込み制御部２２は、被伝達データの入力を促す表示にしたがって送り主側の端末装置６から被伝達データが入力されると、入力された被伝達データを、書込み用アクセス情報と対応付けられた被伝達データ用記憶領域３０に書込むよう制御する。
【００５８】
被伝達データ書込み制御部２２は、メッセージデータ書込み制御部２４と、画像データ書込み制御部２６とを備えている。
【００５９】
メッセージデータ書込み制御部２４は、メッセージデータの入力を促す表示にしたがって送り主側の端末装置６からメッセージデータが入力されると、入力されたメッセージデータを、書込み用アクセス情報と対応付けられたメッセージテーブル３２に書込むよう制御する。
【００６０】
画像データ書込み制御部２６は、画像データの入力を促す表示にしたがって送り主側の端末装置６から画像データが入力されると、入力された画像データを、書込み用アクセス情報と対応付けられた画像ファイル３４に書込むよう制御する。
【００６１】
被伝達データ読出し制御部２８は、受取人側の端末装置８から、アクセス情報付きの物品１００に付された読出し用アクセス情報１０４ｃにしたがってアクセスがあると、当該被伝達データ用記憶領域３０に書込まれている被伝達データ（メッセージデータ及び／又は画像データ）を読出して受取人側の端末装置８に表示させるよう制御する。
【００６２】
図２は、図１に示す被伝達データ管理システム２を構成するサーバ装置であるサーバ４、並びに、送り主側の端末装置である送り主側端末６及び受取人側の端末装置である受取人側端末８のハードウェア構成の一例を示すブロック図である。
【００６３】
サーバ４は、一般的なパーソナルコンピュータやサーバコンピュータと同様の構成である。サーバ４は、本システムのプログラムを記憶した記録媒体であるハードディスク５０、ハードディスク５０に記憶されたプログラムがロードされる主メモリを含むメモリ５１を備えている。ハードディスク５０およびメモリ５１が、図２の記憶手段１４に対応する。
【００６４】
サーバ４は、さらに、主メモリにロードされたプログラムを実行する制御部１２に対応するＣＰＵ４２，表示部としてのＬＣＤ４４，操作部としてのキーボード４６及びマウス４８，インターネット１０を介して送り主側端末６及び受取人側端末８と通信するための通信インタフェース５２を備えている。
【００６５】
この例では、送り主側端末６及び受取人側端末８は、いずれも携帯電話機である。もちろん、送り主側端末６及び／又は受取人側端末８は、携帯電話機以外のものであってもよく、パーソナルコンピュータ、携帯情報端末、通信機能付きゲーム機など、何らかの手段でインターネットに接続可能な端末装置であればよい。
【００６６】
送り主側端末６は、インターネット視聴のためのプログラム（ブラウザ）や、ＱＲコード解析のためのプログラム等が記憶されたメモリ７０、メモリ７０に記憶されたプログラムを実行するＣＰＵ６２、表示部としてのＬＣＤ（液晶表示装置）６４，操作部としての操作ボタン６６、インターネット１０を介してサーバ４等と通信するための通信インタフェース７２、ならびに、カメラ６８を備えている。図示しないが、送り主側端末６は、さらに、マイクロフォン、スピーカ、その他携帯電話機としての一般的機能を備えている。
【００６７】
受取人側端末８も、送り主側端末６と同様の構成であり、メモリ９０、ＣＰＵ８２、ＬＣＤ８４，操作ボタン８６、通信インタフェース９２、カメラ８８の他、マイクロフォン、スピーカ、その他携帯電話機としての一般的機能を備えている。
【００６８】
図３、図４、図５は、図２のサーバ４、送り主側端末６、受取人側端末８を用いた場合における被伝達データ管理システム２の処理の流れの一例を示すフローチャートである。このうち、図３、図４は、サーバ４に被伝達データを書込む際の動作、図５は、サーバ４から被伝達データを読み出す際の動作を示す。
【００６９】
図６Ａ、図６Ｂ、図６Ｃ、図６Ｄ、図７Ａ、図７Ｂ、図７Ｃは、送り主側端末６のＬＣＤ６４に表示される表示内容の推移の一例を示す図面である。図７Ｄは、受取人側端末８のＬＣＤ８４に表示される表示内容の一例を示す図面である。図８Ａは、アイテムテーブル３６のデータ構造の一例を示す図面である。図８Ｂは、メッセージテーブル３２のデータ構造の一例を示す図面である。
【００７０】
主に図３〜図８Ｂに基づいて、被伝達データ管理システム２における処理の説明を行う。まず、サーバ４に被伝達データを書込む処理について説明する。
【００７１】
図３に示すように、送り主側端末６のＣＰＵ６２（以下、単に「送り主側端末６」と略記する。）は、カメラ６８からＱＲコードが入力されないか監視しており、物品１００の送り主によって、物品１００に添付されたアクセス情報付きの物品添付用タグ１０２の書込み用アクセス情報１０３ｃのうちＱＲコード１０３ａがカメラ６８から入力されると、ＱＲコード１０３ａを読取ってＵＲＬに変換し、当該ＵＲＬにしたがって、インターネット１０上のサーバ４に書込みモードでアクセスする（ステップＳ１）。
【００７２】
サーバ４のＣＰＵ４２（以下、単に「サーバ４」と略記する。）は、送り主側の端末装置６のＬＣＤ６４に表示される表示画面のデザインを決定する（ステップＳ２１）。すなわち、サーバ４は、前記ＵＲＬに含まれる「アイテムコード」と同一の「ＵＲＬコード」を有するレコードがアイテムテーブル３６（図８Ａ参照）に存在するか否かを判断し、存在すれば、当該レコードの「状態」フィールドが「有効」であることを条件に、該当するレコードの「ヘッダデザイン」、「あいさつ文」、「フッタデザイン」を、上記表示画面のデザインとして決定する。
【００７３】
なお、このステップにおいて、「アイテムコード」と同一の「ＵＲＬコード」を有するレコードがアイテムテーブル３６に存在しないか、存在しても当該レコードの「状態」フィールドが「無効」である場合には、予め定められた特定のデザインを、上記表示画面のデザインとして決定する。
【００７４】
次に、サーバ４は、このようにして決定されたデザインの表示画面を入力モード選択画面として、送り主側端末６に送出する（ステップＳ２２）。
【００７５】
送り主側端末６は、インターネット１０を介して、当該入力モード選択画面を受信して、ＬＣＤ６４に表示する（ステップＳ２）。このようにして表示された入力モード選択画面を図６Ａ及び図６Ｂに例示する。例えば、図６Ａの表示画面をスクロールすると図６Ｂの表示画面が現れる。
【００７６】
送り主側端末６は、図６Ｂの表示画面に２つ表示されている「利用規約に同意」ボタンのいずれが押下されたかを監視しており、いずれかの「利用規約に同意」ボタンが押下されると、その情報をサーバ４に送信する（ステップＳ３）。
【００７７】
サーバ４は、押下された「利用規約に同意」ボタンがメッセージ登録についてのものであれば、送り主がメッセージ登録のみを選択したと判断して、制御をステップＳ２９に移し、押下された「利用規約に同意」ボタンが画像登録についてのものであれば、送り主が画像登録をも選択したと判断して、制御をステップＳ２４に移す（ステップＳ２３）。
【００７８】
ステップＳ２４において、サーバ４は、書込みを許可するか否かをチェックする。すなわち、サーバ４は、前記ＵＲＬに含まれる「メッセージコード」と同一の「読み書きコード」を有するレコードがメッセージテーブル３２（図８Ｂ参照）に存在するか否かを判断し、存在すれば、画像ファイル３４に「メッセージコード」と同一のファイル名を有する画像データ（以下、単に「画像」という。）が登録されていないことを条件に、画像の書き込みを許可する。
【００７９】
なお、このステップにおいて、「メッセージコード」と同一の「読み書きコード」を有するレコードがメッセージテーブル３２に存在しないか、存在しても画像ファイル３４に「メッセージコード」と同一のファイル名を有する画像が登録されている場合には、画像の書込みを許可せず、予め定められたエラー画面（図示せず）を送り主側端末６に送出し、表示させるよう制御する。
【００８０】
サーバ４は、ステップＳ２４において画像の書き込みを許可した場合、画像選択画面を構築し、これを送り主側端末６に送出する（ステップＳ２５）。
【００８１】
送り主側端末６は、当該画像選択画面を受信して、ＬＣＤ６４に表示する（ステップＳ４）。このようにして表示された画像選択画面を図６Ｃに例示する。
【００８２】
送り主側端末６は、図６Ｃの表示画面に表示されている「参照」ボタンが押下されて「参照」ボタンの左側に例えばツリー構造で表示されたファイル一覧（送り主側端末６のメモリ７０に記憶されているファイルの一覧）からいずれかの画像ファイルが選択されたか否かを監視するとともに、「画像を登録する」ボタンが押下されたか否かを監視しており、いずれかの画像ファイルが選択され、その後、「画像を登録する」ボタンが押下されると、選択された画像をサーバ４に送信する（ステップＳ５）。
【００８３】
サーバ４は、当該画像を受信すると画像登録処理を行う（ステップＳ２６）。すなわち、サーバ４は、受信した画像のサイズ、形式等のチェックを行うとともに、必要に応じてリサイズ等の加工を行い、加工後の画像を、前記ＵＲＬに含まれる「メッセージコード」と同一のファイル名で画像ファイル３４に登録する。
【００８４】
次に、サーバ４は、このようにして登録された画像を確認するための登録画像確認画面を構築し、送り主側端末６に送出する（ステップＳ２７）。
【００８５】
送り主側端末６は、当該登録画像確認画面を受信して、ＬＣＤ６４に表示する（ステップＳ４）。このようにして表示された登録画像確認画面を図６Ｄに例示する。
【００８６】
送り主側端末６は、図６Ｄの表示画面に表示されている「画像の変更」ボタン又は「メッセージ入力」ボタンのいずれが押下されるかを監視しており、いずれかのボタンが押下されると、その情報をサーバ４に送信する（ステップＳ７）。
【００８７】
サーバ４は、押下されたボタンが「画像の変更」ボタンであれば、送り主が画像の変更を行おうとしていると判断して、制御をステップＳ２５に戻し、押下されたボタンが「メッセージ入力」ボタンであれば、送り主がメッセージ入力を行おうとしていると判断して、制御をステップＳ２９に移す（ステップＳ２８）。
【００８８】
図４に示すように、ステップＳ２９において、サーバ４は、書込みを許可するか否かをチェックする。すなわち、サーバ４は、前記ＵＲＬに含まれる「メッセージコード」と同一の「読み書きコード」を有するレコードがメッセージテーブル３２（図８Ｂ参照）に存在するか否かを判断し、存在すれば、当該レコードの「状態」フィールドが「書き込み可能」であることを条件に、メッセージデータ（以下、単に「メッセージ」という。）の書込みを許可する。
【００８９】
なお、このステップにおいて、「メッセージコード」と同一の「読み書きコード」を有するレコードがメッセージテーブル３２に存在しないか、存在しても当該レコードの「状態」フィールドが「書き込み可能」でない場合には、メッセージの書込みを許可せず、予め定められたエラー画面（図示せず）を送り主側端末６に送出し、表示させるよう制御する。
【００９０】
サーバ４は、ステップＳ２９においてメッセージの書き込みを許可した場合、メッセージ登録画面を構築し、これを送り主側端末６に送出する（ステップＳ３０）。
【００９１】
送り主側端末６は、当該メッセージ登録画面を受信して、ＬＣＤ６４に表示する（ステップＳ８）。このようにして表示されたメッセージ登録画面を図７Ａに例示する。
【００９２】
送り主側端末６は、表示されたメッセージ登録画面において所望の背景及びメッセージが入力されたか否か等を監視している（ステップＳ９）。
【００９３】
すなわち、送り主は、図７Ａの表示画面に表示されている「背景のサンプル」と表示されたテキストを押下することで、サーバ４の背景ファイル３８に含まれるサンプル画像を閲覧でき、どのような背景が用意されているかを、送り主側端末６の表示画面で確認することができる。
【００９４】
そして、背景選択領域（画面上部に「背景」と表示された部分の右方にある領域）から所望の背景（この例では、サーバ４の背景ファイル３８に含まれる「背景の名称」が表示される。）を選択するとともに、「メッセージ入力領域（画面に「メッセージ」と表示された部分の下方にある領域）に、操作ボタン６６を用いてメッセージを入力した後、「確認する」ボタンを押下することで、メッセージ及びその背景選択の入力を完了するのであるが、送り主側端末６は、この「確認する」ボタンの押下を監視しており、「確認する」ボタンが押下されると、メッセージ及びその背景選択の入力をサーバ４に送信する。
【００９５】
なお、この表示画面において、「画像の利用を取り消す」ボタンが押下されると、画像の利用がキャンセルされる。
【００９６】
サーバ４は、「確認する」ボタンが押下されたとの情報を受信するとメッセージ等のチェックを行う（ステップＳ３１）。すなわち、サーバ４は、メッセージの文字数が許容文字数を超えていないか等のチェックを行う。
【００９７】
次に、サーバ４は、入力されたメッセージ及び背景を確認するためのメッセージ等確認画面を構築し、送り主側端末６に送出する（ステップＳ３２）。
【００９８】
送り主側端末６は、当該メッセージ等確認画面を受信して、ＬＣＤ６４に表示する（ステップＳ１０）。このようにして表示されたメッセージ等確認画面を図７Ｂに例示する。
【００９９】
送り主側端末６は、図７Ｂの表示画面に表示されている「修正する」ボタン又は「下記の内容で登録する」ボタンのいずれが押下されるかを監視しており、いずれかのボタンが押下されると、その情報をサーバ４に送信する（ステップＳ１１）。
【０１００】
サーバ４は、押下されたボタンが「修正する」ボタンであれば、送り主が背景又はメッセージの変更を行おうとしていると判断して、制御をステップＳ３０に戻し、押下されたボタンが「下記の内容で登録する」ボタンであれば、送り主が表示されている背景及びメッセージを登録しようとしていると判断して、制御をステップＳ３４に移す（ステップＳ３３）。
【０１０１】
ステップＳ３４において、サーバ４は、メッセージ登録処理を行う。すなわち、サーバ４は、メッセージテーブル３２（図８Ｂ参照）を構成するレコードのうち、前記ＵＲＬに含まれる「メッセージコード」と同一の「読み書きコード」を有するレコードの「テーマ」フィールドに、選択された「背景」を特定する背景ＩＤ（この例では、当該背景のディレクトリ名）を書込むとともに、当該レコードの「状態」フィールドを「書込み済み」に変え、さらに、当該レコードの「最終書き込み日」フィールド及び「最終書き込み者のＵＡ」フィールドに、それぞれ、最終書込みの日時、及び、送り主側端末６のユーザエージェント情報（携帯電話の機種、使用ブラウザ等の環境情報）が書込まれる。
【０１０２】
なお、送り主によって「背景」が選択されなかったときは、「背景」なしとして処理するよう構成してもよいし、予め定められた特定の「背景」を用いるよう構成してもよい。
【０１０３】
次に、サーバ４は、このようにして登録されたメッセージ及び背景、並びに、ステップＳ２６において登録された画像を含む仕上がり画面を構築し、確認のため、送り主側端末６に送出する（ステップＳ３５）。
【０１０４】
送り主側端末６は、当該仕上がり画面を受信して、ＬＣＤ６４に表示する（ステップＳ１２）。このようにして表示された仕上がり画面を図７Ｃに例示する。このようにして、サーバ４に被伝達データを書込む処理が行われる。
【０１０５】
この後、前述のように、物品１００の送り主は、物品１００に添付されたタグ１０２（図１０Ａ、図１０Ｂ参照）の書込み用アクセス情報印刷部１０３と読出し用アクセス情報印刷部１０４とを切り離し、読出し用アクセス情報印刷部１０４のみを物品１００に付した状態で、受取人に、当該物品１００を郵送等または手渡しする。
【０１０６】
そして、物品１００の受取人は、物品１００に付された読出し用アクセス情報１０４ｃにしたがって、サーバ装置４に書込まれた当該被伝達データを受取人側の端末装置８に読み出すのである。
【０１０７】
図５にしたがって、サーバ４から被伝達データを読み出す処理について説明する。
【０１０８】
受取人側端末８のＣＰＵ８２（以下、単に「受取人側端末８」と略記する。）は、カメラ８８からＱＲコードが入力されないか監視しており、物品１００の受取人によって、物品１００に添付されたアクセス情報付きの物品添付用タグ１０２の読出し用アクセス情報１０４ｃのうちＱＲコード１０４ａがカメラ８８から入力されると、ＱＲコード１０４ａを読取ってＵＲＬに変換し、当該ＵＲＬにしたがって、インターネット１０上のサーバ４に読出しモードでアクセスする（ステップＳ４１）。
【０１０９】
サーバ４は、上記アクセスを受けて読出し処理を行う（ステップＳ５１）。すなわち、サーバ４は、前記ＵＲＬに含まれる「メッセージコード」と同一の「読み書きコード」を有するレコードがメッセージテーブル３２（図８Ｂ参照）に存在するか否かを判断し、存在すれば、当該レコードの「状態」フィールドが「書き込み済み」であることを条件に、該当するレコードの「メッセージ」フィールドの記述内容をメッセージとして抽出するとともに、「テーマ」フィールドの記述内容に基づいて背景ファイル３８から背景を抽出し、さらに、前記ＵＲＬに含まれる「メッセージコード」と同一のファイル名を有する画像を画像ファイル３４から抽出する。
【０１１０】
さらに、サーバ４は、メッセージテーブル３２の当該レコードの「状態」フィールドを「既読」に変え、さらに、当該レコードの「最初の読み込み日」フィールド及び「最初読み込み者のＵＡ」フィールドに、それぞれ、最初の読込みの日時、及び、受取人側端末８のユーザエージェント情報が書込まれる。
【０１１１】
次に、サーバ４は、前ステップにおいて抽出されたメッセージ、背景、画像を含むメッセージ等画面を構築し、受取人側端末８に送出する（ステップＳ５２）。
【０１１２】
受取人側端末８は、当該メッセージ等画面を受信して、ＬＣＤ８４に表示する（ステップＳ４２）。このようにして表示されたメッセージ等画面を図７Ｄに例示する。このメッセージ等画面は、図７Ｃに示す仕上がり画面と同じ内容である。このようにして、サーバ４から被伝達データを読出す処理が行われる。
【０１１３】
なお、図３及び図４のステップＳ２１〜ステップＳ２５及びステップＳ２９〜ステップＳ３０が、図１に示すサーバ装置４の制御部１２を構成する被伝達データ入力促進制御部１６に対応する。このうち、ステップＳ２１〜ステップＳ２５が画像データ入力促進制御部２０に対応し、ステップＳ２９〜ステップＳ３０がメッセージデータ入力促進制御部１８に対応する。
【０１１４】
ステップＳ２６〜ステップＳ２８及びステップＳ３１〜ステップＳ３５が、被伝達データ書込み制御部２２に対応する。このうち、ステップＳ２６〜ステップＳ２８が画像データ書込み制御部２６に対応し、ステップＳ３１〜ステップＳ３５がメッセージデータ書込み制御部２４に対応する。
【０１１５】
また、図５のステップＳ５１〜ステップＳ５２が、被伝達データ読出し制御部２８に対応する。
【０１１６】
なお、上述の実施形態においては、書込み用アクセス情報及び読出し用アクセス情報としてＱＲコードを用いた場合を例に説明したが、この発明はこれに限定されるものではない。書込み用アクセス情報及び読出し用アクセス情報として、例えば、ＵＲＬそのものを用いることもできる。ＵＲＬそのものを用いると、カメラやＱＲコード解析のためのプログラムを備えていない端末装置であってもサーバ装置にアクセスすることが可能となる。
【０１１７】
また、上述の実施形態においては、物品添付用タグとして、書込み用アクセス情報印刷部と読出し用アクセス情報印刷部とが、キリトリ線にて切り離し可能となっている場合を例に説明したが、この発明はこれに限定されるものではない。物品添付用タグとして、たとえば、書込み用アクセス情報が印刷された書込み用アクセス情報印刷タグと、読出し用アクセス情報が印刷された読出し用アクセス情報印刷タグとを別々に作成し、これら２つのタグをアクセス情報付きの物品に添付するようにしてもよい。２つのタグのうち少なくとも書込み用アクセス情報印刷タグは、当該物品から容易に取り外し可能とすることが好ましい。
【０１１８】
また、物品添付用タグを用いることなく、物品そのもの又は物品の包装に、書込み用アクセス情報及び読出し用アクセス情報を印刷したシール等を貼り付けたり、これらのアクセス情報を直接印刷したりするようにしてもよい。
【０１１９】
さらに、物品そのもの又は物品の包装に、読出し用アクセス情報を印刷したシール等を貼り付けたり直接印刷したりするとともに、書込み用アクセス情報が印刷された書込み用アクセス情報印刷タグを、取り外し可能に当該物品に添付するようにしてもよい。
【０１２０】
また、上述の実施形態においては、本システムを構成するプログラムは、サーバ装置のハードディスクに記憶されたものをメモリにロードして実行するようにしている。ただし、当該プログラムの保持形態はこれらに限定されるものではない。たとえば、当該プログラムを、たとえばＵＳＢメモリ、ＣＤ−ＲＯＭ、ＤＶＤ−ＲＯＭ、磁気テープ等の記録媒体に記録するようにしてもよい。さらに、有線や無線の情報通信網を介して当該プログラムを配布するようにしてもよい。
【０１２１】
また、上記プログラムやデータの一部を送り主側の端末装置や受取人側の端末装置に保持させるよう構成することもできる。
【０１２２】
また、プログラムやデータの記録態様や配布態様は特に限定されるものではない。直接実行できる形で記録媒体に記憶したり配布したりする他、たとえば、解凍して使用するように圧縮された形で記録媒体に記憶したり配布したりすることもできる。
【０１２３】
なお、上述の各実施形態においては、サーバコンピュータを用いて図１の各機能を実現する場合を例に説明したが、図１の機能の一部または全部を、ハードウェアロジックを用いて構成するようにしてもよい。
【０１２４】
また、上述のブロック図、ハードウェア構成、フローチャート、データ構造等は、例として挙げたものであり、本願発明は、上述のブロック図、ハードウェア構成、フローチャート、データ構造等に限定されるものではない。
【０１２５】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【符号の説明】
【０１２６】
４：サーバ装置
６：送り主側の端末装置
８：受取人側の端末装置
１６：被伝達データ入力促進制御部
２２：被伝達データ書込み制御部
２８：被伝達データ読出し制御部
３０：被伝達データ用記憶領域
特許出願人  田畑株式会社
出願人代理人  弁理士  田川  幸一
【図１】
2010165277.tif 000003
【図２】
2010165277.tif 000004
【図３】
2010165277.tif 000005
【図４】
2010165277.tif 000006
【図５】
2010165277.tif 000007
【図６】
2010165277.tif 000008
【図７】
2010165277.tif 000009
【図８】
2010165277.tif 000010
【図９】
2010165277.tif 000011
【図１０】
2010165277.tif 000012